(57)【要約】      （修正有）【課題】ガスタービンエンジンのインピンジメントインサートを提供する。【解決手段】本開示は、内面（１１４）を有し、高温ガス通路構成要素空洞（１０２）を画定する高温ガス通路構成要素（１０４）を含む、ガスタービンエンジンに関する。インピンジメントインサート（１００）が、高温ガス通路構成要素空洞（１０２）内に位置決めされる。インピンジメントインサート（１００）は、内面（１１０）および外面（１１２）を含み、インピンジメントインサート空洞（１０８）、および、インピンジメントインサート空洞（１０８）と高温ガス通路構成要素空洞（１０２）とを流体的に結合する複数のインピンジメント開口（１１６）を画定する。複数のピンがインピンジメントインサート（１００）の外面（１１２）から高温ガス通路構成要素（１０４）の内面（１１４）まで延伸する。【選択図】図５
2018119540.tif 000002
【特許請求の範囲】
【請求項１】
ターボ機械（１０）であって、
内面（１１４）を含み、高温ガス通路構成要素空洞（１０２）を画定する高温ガス通路構成要素（１０４）と、
前記高温ガス通路構成要素空洞（１０２）内に配置されたインピンジメントインサート（１００）であり、前記インピンジメントインサート（１００）は、内面（１１０）および外面（１１２）を含み、インピンジメントインサート空洞（１０８）、ならびに、前記インピンジメントインサート空洞（１０８）および前記高温ガス通路構成要素空洞（１０２）を流体連通する複数のインピンジメント開口（１１６）を画定する、インピンジメントインサート（１００）と、
前記インピンジメントインサート（１００）の前記外面（１１２）から前記高温ガス通路構成要素（１０４）の前記内面（１１４）まで延伸する複数のピン（１２０）と
を備える、ターボ機械（１０）。
【請求項２】
前記複数のピン１２０の各々は、前記インピンジメントインサート（１００）の前記外面（１１２）から前記高温ガス通路構成要素（１０４）の前記内面（１１４）まで延伸する、請求項１に記載のターボ機械（１０）。
【請求項３】
前記複数のピン（１２０）は、前記インピンジメントインサート（１００）に固定して結合し、前記高温ガス通路構成要素（１０４）に取り外し可能に結合する、請求項１に記載のターボ機械（１０）。
【請求項４】
前記複数のピン（１２０）は、前記高温ガス通路構成要素（１０４）の前記内面（１１４）と摺動接触している、請求項３に記載のターボ機械（１０）。
【請求項５】
前記高温ガス通路構成要素（１０４）は、前記高温ガス通路構成要素（１０４）の前記内面（１１４）に沿ってスロット（１３０）を画定する、請求項３に記載のターボ機械（１０）。
【請求項６】
前記複数のピン（１２０）の少なくとも一部は、直線状の列（１２２）に配列され、前記スロット（１３０）は、前記直線状列（１２２）の前記インピンジメントインサート（１００）を前記高温ガス通路構成要素空洞（１０２）に挿入している間に前記直線状の列（１２２）を受け入れる、請求項５に記載のターボ機械（１０）。
【請求項７】
前記インピンジメントインサート（１００）は、前記スロット（１３０）から前記ピン（１２０）の前記直線状の列（１２２）を離間させるために、挿入後に前記高温ガス通路構成要素空洞（１０２）内で回転される、請求項６に記載のターボ機械（１０）。
【請求項８】
前記インピンジメントインサート（１００）は、第１のインピンジメントインサート部分（１３４）と第２のインピンジメントインサート部分（１３６）とを備える、請求項１に記載のターボ機械（１０）。
【請求項９】
前記インピンジメントインサート（１００）を形成するために、前記第１のインピンジメントインサート部分（１３４）および前記第２のインピンジメントインサート部分（１３６）が、前記高温ガス通路構成要素空洞（１０２）に挿入された後に外向きに動かされる、請求項８に記載のターボ機械（１０）。
【請求項１０】
ガスタービンエンジン（１０）であって、
内面（１１４）を含み、高温ガス通路構成要素空洞（１０２）を画定する高温ガス通路構成要素（１０４）と、
前記高温ガス通路構成要素空洞（１０２）内に配置されたインピンジメントインサート（２００）であり、前記インピンジメントインサート（２００）は、内面（２０６）および外面（２０８）を含み、インピンジメントインサート空洞（２０４）、ならびに、前記インピンジメントインサート空洞（２０４）および前記高温ガス通路構成要素空洞（１０２）を流体連通する複数のインピンジメント開口（２１０）を画定し、各インピンジメント開口（２１０）は直径（２１６）を備える、インピンジメントインサート（２００）と、
前記インピンジメントインサート（２００）の前記外面（２０８）から外向きに延伸する複数の突起（２１８）であり、各突起（２１８）は、前記直径（２１６）の少なくとも２倍の最小距離（２２０）だけ、各インピンジメント開口（２１０）から離間されている、複数の突起（２１８）と
を備える、ガスタービンエンジン（１０）。
【請求項１１】
前記複数の突起（２１８）の第１の部分は、前記インピンジメント開口（２１０）の１つを円周方向に囲む第１のリング（２２４）内に環状に配置されている、請求項１０に記載のガスタービンエンジン（１０）。
【請求項１２】
前記複数の突起（２１８）の第２の部分は、前記インピンジメント開口（２１０）の１つを円周方向に囲む第２のリング（２２６）に配置され、前記第２のリング（２２６）は、前記第１のリング（２２４）と同心である、請求項１１に記載のガスタービンエンジン（１０）。
【請求項１３】
前記複数の突起（２１０）は、１つまたは複数のリング（２３０）に配列され、各リング（２３０）は、前記複数のインピンジメント開口（２１０）のうちの１つを円周方向に囲み、前記インピンジメントインサート（２００）の前記外面（２０８）は、前記リング（２３０）の間に位置決めされる粗面化された部分（２３２）を含む、請求項１０に記載のガスタービンエンジン（１０）。
【請求項１４】
前記複数のインピンジメント開口（２１０）は、１つまたは複数の直線状の列（２１２）に配列され、前記複数の突起（２１８）は、１つまたは複数の直線状の列（２２２）に配列され、突起（２１８）の各直線状の列（２２２）は、インピンジメント開口（２１０）の各直線状の列（２１２）から円周方向に離間されている、請求項１０に記載のガスタービンエンジン（１０）
【請求項１５】
前記インピンジメント開口（２１０）の各々は、前記インピンジメント開口の直径（２１６）の少なくとも１５倍の距離（２１４）だけ、互いの（インピンジメント開口（２１０）から離間されている、請求項１０に記載のガスタービンエンジン（１０）。
【発明の詳細な説明】
【技術分野】
【０００１】
本開示は、概してガスタービンエンジンに関する。より詳細には、本開示は、ガスタービンエンジンのインピンジメントインサートに関する。
【背景技術】
【０００２】
ガスタービンエンジンは、一般的に、圧縮機部、燃焼部、タービン部、および排気部を含む。圧縮機部は、ガスタービンエンジンに流入する作動流体の圧力を徐々に増加させ、この圧縮された作動流体を燃焼部に供給する。圧縮された作動流体および燃料（例えば、天然ガス）は、燃焼部内で混合され、燃焼チャンバ内で燃焼して、高圧および高温の燃焼ガスを生成する。燃焼ガスは、燃焼部からタービン部に流れ、そこで膨張して仕事を発生させる。例えば、タービン部における燃焼ガスの膨張は、例えば発電機に接続されたロータシャフトを回転させて、電気を発生させることができる。次いで、燃焼ガスは、排気部を介してガスタービンから排出される。
【０００３】
タービン部は、１つまたは複数のタービンロータブレード上に燃焼ガスの流れを導く、１つまたは複数のタービンノズルを含む。１つまたは複数のタービンロータブレードは、次に燃焼ガスから運動エネルギーおよび／または熱エネルギーを抽出し、それによってロータシャフトを駆動する。一般に、各タービンノズルは、内側側壁、外側側壁、および内側側壁と外側側壁との間に延在する１つまたは複数の翼形部を含む。１つまたは複数の翼形部が燃焼ガスと直接接触するため、翼形部を冷却することが必要な場合がある。
【０００４】
特定の構成では、冷却空気は、翼形部によって画定される１つまたは複数の内部空洞を通って送られる。典型的には、この冷却空気は、圧縮機部から抽気される圧縮空気である。しかしながら、圧縮機部からの抽気は、燃焼に利用可能な圧縮空気の量を減少させ、それによってガスタービンエンジンの効率を低下させる。
【発明の概要】
【０００５】
本技術の態様および利点は、以下の説明に一部が記載され、あるいは説明から自明かもしれず、もしくは本技術の実施を通じて学ぶことができる。
【０００６】
一実施形態では、本開示は、冷却すべき内面を有し、高温ガス通路構成要素空洞を画定する高温ガス通路構成要素を含む、ターボ機械に関する。インピンジメントインサートが、高温ガス通路構成要素空洞内に位置決めされる。インピンジメントインサートは、内面および外面を含み、インピンジメントインサート空洞、および、インピンジメントインサート空洞と高温ガス通路構成要素空洞とを流体的に結合する複数のインピンジメント開口を画定する。複数のピンがインピンジメントインサートの外面から高温ガス通路構成要素の内面まで延伸する。
【０００７】
別の実施形態では、本開示は、内面を有し、高温ガス通路構成要素空洞を画定する高温ガス通路構成要素を含む、ガスタービンエンジンに関する。インピンジメントインサートが、高温ガス通路構成要素空洞内に位置決めされる。インピンジメントインサートは、内面および外面を含み、インピンジメントインサート空洞、および、インピンジメントインサート空洞と高温ガス通路構成要素空洞とを流体的に結合する複数のインピンジメント開口を画定する。各インピンジメント開口は、インピンジメント開口直径を含む。複数の突起がインピンジメントインサートの外面から外側に延伸する。各突起は、各インピンジメント開口から、インピンジメント開口直径の少なくとも２倍の最小距離だけ離間されている。
【０００８】
本技術のこれらの特徴、態様、および利点、ならびに他の特徴、態様、および利点は、以下の説明および添付の特許請求の範囲を参照して、よりよく理解されよう。添付の図面は、本明細書に組み込まれ、本明細書の一部を構成するものであるが、本技術の実施形態を例示し、また説明とともに本技術の原理を説明する働きをする。
【０００９】
当業者に向けた本技術の最良の様態を含む本技術の充分かつ実施可能な開示が、添付の図面を参照しつつ、本明細書に記載される。
【図面の簡単な説明】
【００１０】
【図１】本開示の実施形態による例示的なガスタービンエンジンの概略図である。
【図２】本開示の実施形態による例示的なタービン部の断面図である。
【図３】本開示の実施形態による例示的なノズルの斜視図である。
【図４】本開示の実施形態による、概して図３の線４−４周りのノズルの断面図である。
【図５】本開示の実施形態による高温ガス通路構成要素内に位置決めされたインピンジメントインサートの一実施形態の斜視図である。
【図６】本開示の実施形態によるインピンジメントインサートの一実施形態の斜視図である。
【図７】本開示の実施形態によるインピンジメントインサートおよび高温ガス通路構成要素の一実施形態の断面図である。
【図８】本開示の実施形態によるインピンジメントインサートおよび高温ガス通路構成要素の一実施形態の上面図である。
【図９】本開示の実施形態によるインピンジメントインサートおよび高温ガス通路構成要素の一実施形態の上面図である。
【図１０】本開示の実施形態によるインピンジメントインサートおよび高温ガス通路構成要素の一実施形態の上面図である。
【図１１】本開示の実施形態によるインピンジメントインサートおよび高温ガス通路構成要素の一実施形態の上面図である。
【図１２】本開示の実施形態によるインピンジメントインサートの一実施形態の斜視図である。
【図１３】本開示の実施形態によるインピンジメントインサートの一実施形態の正面図である。
【図１４】本開示の実施形態によるインピンジメントインサートの一実施形態の正面図である。
【図１５】本開示の実施形態によるインピンジメントインサートの一実施形態の正面図である。
【００１１】
本明細書および図面における符号の反復使用は、本技術の同じまたは類似の特徴もしくは要素を表すことを意図している。
【発明を実施するための形態】
【００１２】
本技術の実施形態を示すために、ここで詳細に参照を行うが、それの１つまたは複数の実施例を添付の図面に示す。詳細な説明は、図面の特徴を参照するために、数字および文字の符号を用いる。図面および説明の同様のまたは類似の符号は、本技術の同様のまたは類似の部材を指すために用いている。本明細書において、「第１の」、「第２の」、および「第３の」という用語は、１つの構成要素と別の構成要素とを区別するために交換可能に用いることができ、個々の構成要素の位置または重要性を示すことを意図しない。用語「上流側」および「下流側」は、流体経路における流体の流れに対する相対的な方向を指す。例えば、「上流側」は流体が流れてくる方向を指し、「下流側」は流体が流れていく方向を指す。
【００１３】
各実施例は本技術の説明のために提供するものであって、本技術を限定するものではない。実際、本技術の範囲または趣旨を逸脱せずに、修正および変更が本発明において可能であることは、当業者にとって明らかであろう。例えば、一実施形態の一部として図示または記載する特徴は、さらに別の実施形態を与えるために、別の実施形態で用いることができる。したがって、本技術は、添付の請求の範囲およびそれらの等価物の範囲に入るこのような修正および変更を包括することが意図されている。
【００１４】
産業用または陸上用のガスタービンが本明細書に示され説明されているが、本明細書に示され説明される本技術は、特許請求の範囲に特に明記されない限り、陸上および／または産業用ガスタービンに限定されない。例えば、本明細書に記載の技術は、航空ガスタービン（例えば、ターボファンなど）、蒸気タービン、および海洋ガスタービンを含むが、これらに限定されない任意のタイプのタービンに使用することができる。
【００１５】
ここで図面を参照すると、図１は、ガスタービンエンジン１０のような例示的なターボ機械の概略図である。図示するように、ガスタービンエンジン１０は、一般に、軸流圧縮機１６の上流端に配置された入口１４を有する圧縮機部１２を含む。ガスタービンエンジン１０はまた、圧縮機１６の下流に位置決めされた１つまたは複数の燃焼器２０を有する燃焼部１８をさらに含む。ガスタービンエンジン１０はまた、燃焼部１８の下流に配置されたタービン２４（例えば、膨張タービン）を有するタービン部２２をも含む。シャフト２６が、ガスタービンエンジン１０の軸方向中心線２８に沿って圧縮機１６およびタービン２４を軸方向に貫通して延在する。
【００１６】
図２は、本明細書で開示される様々な実施形態を組み込むことができるタービン２４の断面側面図である。図２に示すように、タービン２４は複数のタービン段を含むことができる。例えば、タービン２４は、第１段３０Ａ、第２段３０Ｂ、および第３段３０Ｃを含むことができる。ただし、タービン２４は、必要に応じてまたは所望されるように、より多くまたはより少ないタービン段を含んでもよい。
【００１７】
各段３０Ａ〜３０Ｃは、流れの順に、ロータシャフト２６（図１）に沿って軸方向に間隔を置いて配置された、タービンノズル３２Ａ、３２Ｂ、３２Ｃの対応する列と、タービンロータブレード３４Ａ、３４Ｂ、３４Ｃの対応する列と、を含む。タービンノズル３２Ａ〜３２Ｃの各々は、ガスタービンエンジン１０の動作中、タービンロータブレード３４Ａ〜３４Ｃに対して静止したままである。タービンノズル３２Ｂ、３２Ｃの各列は、対応するダイアフラム４２Ｂ、４２Ｃにそれぞれ結合されている。図２には示していないが、タービンノズル３２Ａの列はまた、対応するダイアフラムに結合されてもよい。第１のタービンシュラウド４４Ａ、第２のタービンシュラウド４４Ｂ、および第３のタービンシュラウド４４Ｃは、タービンブレード３４Ａ〜３４Ｃの対応する列を円周方向に囲む。ケーシングまたはシェル３６は、タービンノズル３２Ａ〜３２Ｃおよびタービンロータブレード３４Ａ〜３４Ｃの各段３０Ａ〜３０Ｃを円周方向に取り囲んでいる。
【００１８】
図１および図２に示すように、圧縮機１６は、圧縮空気３８を燃焼器２０に供給する。圧縮空気３８は、燃焼器２０内の燃料（例えば、天然ガス）と混合して燃焼し、燃焼ガス４０を生成し、燃焼ガス４０はタービン２４に流入する。タービンノズル３２Ａ〜３２Ｃおよびタービンロータブレード３４Ａ〜３４Ｃは、燃焼ガス４０からの運動エネルギーおよび／または熱エネルギーを抽出する。このエネルギー抽出によりロータシャフト２６が駆動される。次に燃焼ガス４０は、タービン２４およびガスタービンエンジン１０から出る。以下により詳細に説明するように、圧縮空気３８の一部は、とりわけタービンノズル３２Ａ〜３２Ｃを含むタービン２４の様々な部品を冷却するための冷却媒体として使用することができる。
【００１９】
図３は、第２段３０Ｂのタービンノズル３２Ｂの斜視図であり、業界では第２段ノズルまたはＳ２Ｎとしても知られている。他のタービンノズル３２Ａ、３２Ｃは、タービンノズル３２Ｂの特徴と同様の特徴を有しているが、これについては後に詳述する。図３に示すように、タービンノズル３２Ｂは、内側側壁４６と、内側側壁４６から半径方向に離間された外側側壁４８と、を含む。一対の翼形部５０が、内側側壁４６から外側側壁４８にわたって延在する。この点で、図３に示すタービンノズル３２Ｂは、業界ではダブレットと呼ばれている。それにもかかわらず、タービンノズル３２Ｂは、ただ１つの翼形部５０（すなわち、シングレット）、３つの翼形部５０（すなわち、トリプレット）、またはより多くの翼形部５０を有してもよい。
【００２０】
図３に示すように、内側側壁４６および外側側壁４８は様々な表面を含む。より具体的には、内側側壁４６は、半径方向外面５２と、半径方向外面５２から半径方向内側に位置決めされた半径方向内面５４と、を含む。同様に、外側側壁４８は、半径方向内面５６と、半径方向内面５６から半径方向外側に向いた半径方向外面５８と、を含む。図２および図３に示すように、外側側壁４８の半径方向内面５６および内側側壁４６の半径方向外面５２は、タービン２４を流れる燃焼ガス４０の内側および外側半径方向流れ境界をそれぞれ画定する。内側側壁４６はまた、前方表面６０と、前方表面６０の下流に位置する後方表面６２と、を含む。内側側壁４６は、第１の円周面６４と、第１の円周面６４から円周方向に離間した第２の円周面６６と、をさらに含む。同様に、外側側壁４８は、前方表面６８と、前方表面６８の下流に位置する後方表面７０と、を含む。外側側壁４８はまた、第１の円周面７２と、第１の円周面７２から離間した第２の円周面７４と、を含む。内側側壁４６および外側側壁４８は、好ましくは、ニッケル系超合金または燃焼ガス４０に耐えることができる別の適切な材料から構成される。
【００２１】
上述したように、２つの翼形部５０は、内側側壁４６から外側側壁４８まで延在する。図３および図４に示すように、各翼形部５０は、内側側壁４６および外側側壁４８の前方表面６０、６８に近接して配置された前縁７６を含む。各翼形部５０はまた、内側側壁４６および外側側壁４８の後方表面６２、７０に近接して配置された後縁７８をも含む。さらに、各翼形部５０は、前縁７６から後縁７８まで延在する正圧側壁８０および対向する負圧側壁８２を含む。翼形部５０は、好ましくは、ニッケル系超合金または燃焼ガス４０に耐えることができる別の適切な材料から構成される。
【００２２】
各翼形部５０は、内部に１つまたは複数の内部空洞を画定することができる。インサートは、内部空洞の各々の中に位置決めされて、圧縮空気３８を（例えば、インピンジメント冷却を介して）翼形部５０の正圧側壁８０および負圧側壁８２に提供することができる。図４に示す実施形態では、各翼形部５０は、前方インサート８８を内部に位置決めされた前方内部空洞８４、および、後方インサート９０を内部に位置決めされた後方内部空洞８６を画定する。リブ９２が、前方内部空洞８４と後方内部空洞８６とを分離することができる。それにもかかわらず、代替的な実施形態では、翼形部５０は、１つの内部空洞、３つの内部空洞、または４つ以上の内部空洞を画定することができる。さらに、内部空洞のいくつかまたはすべてはまた、特定の実施形態においてはインサートを含まなくてもよい。
【００２３】
図５〜図１１は、高温ガス通路構成要素１０４の高温ガス通路構成要素空洞１０２に位置決めされ得るインピンジメントインサート１００の実施形態を示す。いくつかの実施形態では、インピンジメントインサート１００は、図４に示す前方インサート９０の代わりに、ノズル３２Ｂ内の翼形部５０のうちの１つの前方内部空洞８６に位置決めされてもよい。すなわち、高温ガス通路構成要素空洞１０２は、前方内部空洞８６であってもよく、高温ガス通路構成要素１０４は、ノズル３２Ｂであってもよい。さらなる実施形態では、高温ガス通路構成要素１０４は、タービンシュラウド４４Ａ〜４４Ｃのうちの１つ、またはロータブレード３２Ａ〜３２Ｃのうちの１つの他のノズルであってもよい。それにもかかわらず、高温ガス通路構成要素空洞１０２は、ガスタービンエンジン１０内の任意の適切な空洞であってもよい。さらに、高温ガス通路構成要素１０４は、ガスタービンエンジン１０内の任意の適切な構成要素であってもよい。
【００２４】
高温ガス通路構成要素１０４は概して、環状断面を有するものとして図５〜図１１に示されている。それにもかかわらず、高温ガス通路構成要素１０４は、平板であってもよいし、または、任意の適切な断面および／もしくは形状を有してもよい。
【００２５】
図５〜図１１に示すように、インピンジメントインサートまたはプレード１００は、軸方向Ａ、半径方向Ｒ、および円周方向Ｃを画定する。概して半径方向Ｒは、軸方向Ａから外向きに直交して延伸し、円周方向Ｃは、軸方向Ａの周りに同心状に延伸する。
【００２６】
特に図５を参照すると、インピンジメントインサート１００は、その中にインピンジメントインサート空洞１０８を画定するほぼ管状のインサート壁１０６を含む。この点において、インサート壁１０６は、インピンジメントインサート空洞１０８の外側境界を形成する内面１１０と、内面１１０から離間した外面１１２とを含む。図５に示す実施形態では、インサート壁１０６は、概して環状の断面を有する。しかし、インサート壁１０６は、他の実施形態においてはまた、任意の適切な形状を有してもよい。
【００２７】
上述のように、インピンジメントインサート１００は、高温ガス通路１０４の高温ガス通路構成要素空洞１０２内に位置決めされる。より具体的には、高温ガス通路構成要素１０４の内面１１４は、高温ガス通路構成要素空洞１０２の外側境界を形成する。インピンジメントインサート１００は、インサート壁１０６の外面１１２が高温ガス通路構成要素１０４の内面１１４から離間されるように、高温ガス通路構成要素空洞１０２内に位置決めされる。インサート壁１０６の外面１１２と高温ガス通路構成要素１０４の内面１１４との間の間隔は、以下でより詳細に説明するように、内面１１４の内側のインピンジメント冷却を容易にするような大きさでなければならない。
【００２８】
図５〜図６に示すように、インピンジメントインサート１００は、複数のインピンジメント開口１１６を画定する。特に、インピンジメント開口１１６は、インサート壁１０６を通じてインサート壁１０６の内面１１０からその外面１１２を通って延伸する。インピンジメント開口１１６は、インピンジメントインサート空洞１０８と高温ガス通路構成要素空洞１０２との間の流体連通を可能にする。インピンジメント開口１１６は、好ましくは、円形の断面を有する。しかし、インピンジメント開口１１６は、任意の適切な断面（例えば、長方形、三角形、長円形、楕円形、五角形、六角形、星形など）を有してもよい。さらに、インピンジメント開口１１６は、高温ガス通路構成要素１０４の内面１１４に対するインピンジメント冷却を可能にするような大きさである。
【００２９】
図５および図６に示す実施形態では、インピンジメント開口１１６は直線状の列１１８に配列されている。インピンジメント開口１１６の直線状の列１１８は、インサート壁１０６の軸方向のほぼ全長に沿って、またはその一部のみに沿って延伸していてもよい。インピンジメント開口１１６は、任意の適切な数の直線状の列１１８に配列されてもよい。それにもかかわらず、複数のインピンジメント開口１１６は、インピンジメントインサート１００上に、内面１１４のインピンジメント冷却を促進する任意の方法で配置することができる。
【００３０】
特に図６を参照すると、複数の突起１２０がインサート壁１０６の外面１１２から外向きに延伸する。図６に示す実施形態では、突起１２０は直線状の列１２２に配列されている。突起１２０の直線状の列１２２は、インサート壁１０６の軸方向のほぼ全長に沿って、またはその一部のみに沿って延伸していてもよい。例えば、図６に示す実施形態では、突起１２０の３つの直線状の列１２２が、インピンジメント開口１１６の直線状の列１１８の各隣接する対の間に円周方向に位置決めされている。それにもかかわらず、インピンジメント開口１１６は、任意の適切な数の直線状の列１１８に配列されてもよい。実際には、複数の突起１２０は、任意の適切な方法でインピンジメントインサート１００上に配列されてもよい。
【００３１】
図７に示すように、突起１２０は、高温ガス通路構成要素１０４の内面１１４と接することができる。すなわち、突起１２０は、インピンジメントインサート１１０から高温ガス通路構成要素空洞１０２を通って高温ガス通路構成要素１０４まで延伸する。この点において、突起１２０は、高温ガス通路構成要素１０４からインピンジメントインサート１００に熱を伝導することができる。より具体的には、突起１２０の各々は、インサート壁１０６の外面１１２に結合する第１の端部１２４を含む。いくつかの実施形態では、突起１２０はインピンジメントインサート１００に固定して結合する。特に、突起１２０は、インピンジメントインサート１００と一体的に形成されてもよい。突起１２０の各々はまた、高温ガス通路構成要素１０４の内面１１４に結合する第２の端部１２６をも含む。いくつかの実施形態では、突起１２０はインピンジメントインサート１００に取り外し可能に結合する。特に、突起１２０の第２の端部１２６は、高温ガス通路構成要素１０４の内面１１４と摺動して接することができる。それにもかかわらず、突起１２０は、インピンジメントインサート１１０および高温ガス通路構成要素１０４に、任意の適切な方法で結合してもよい。
【００３２】
図６および図７に示す実施形態では、突起１２０は、インサート壁１０６の外面１１２から外向きおよび上向きに延伸することができる。より詳細に説明するように、インピンジメントインサート１００は、積層造形方法によって形成することができる。この点において、突起１２０の上向きの向きは、積層造形プロセスを使用して突起１２０を形成するために必要な支持を提供する。特に、突起１２０は、インピンジメントインサート１００から半径方向Ｒおよび軸方向Ａにおいて外向きに延伸することができる。この点において、各突起１２０は、突起１２０とインサート壁１０６の外面１１２との間に延伸するピン角１２８を画定する。いくつかの実施形態では、ピン角１２８は３０度から６０度の間であってもよい。しかし、代替的な実施形態では、突起１２０は、半径方向Ｒのみでインサート壁１０６から外向きに延伸してもよい。
【００３３】
突起１２０は、任意の適切な断面および／または形状を有することができる。例えば、突起１２０は、円形の断面、矩形の断面、または楕円形の断面を有することができる。突起１２０は、インサート壁１０６から外向きに延伸するため、突起１２０は一定の厚さ／直径を有することができる。代替的に、ピン１０６は、先細（すなわち、第１の端部１２４よりも第２の端部１２６において狭い）であってもよい。
【００３４】
上述したように、インピンジメントインサート１００は、好ましくは、積層造形によって形成される。本明細書で使用される場合、「積層造形」という用語は、有用な３次元物体をもたらし、一度に１層ずつ物体の形状を連続的に形成するステップを含む、任意のプロセスを指す。積層造形プロセスは、３Ｄプリンティング（３ＤＰ）プロセス、レーザネットシェイプ製造、直接金属レーザ焼結（ＤＭＬＳ）、直接金属レーザ溶融（ＤＭＬＭ）、粉体プラズマアーク溶接、自由形状造形などを含む。特定のタイプの積層造形プロセスは、粉末材料を焼結または溶融するために、エネルギービーム、例えば電子ビームまたはレーザビームなどの電磁放射線を使用する。積層造形プロセスは、典型的には、金属粉末材料またはワイヤを原料として使用する。それにもかかわらず、インピンジメントインサート１００は、任意の適切な製造プロセスを使用して構築されてもよい。
【００３５】
一実施形態では、突起１２０の向きおよび固有の可撓性によって、インピンジメントインサート１００を高温ガス通路構成要素空洞１０２に挿入することができる。より具体的には、インピンジメントインサート１００が高温ガス通路構成要素空洞１０２に入ると、突起１２０の第２の端部１２６が高温ガス通路構成要素１０４の内面１１４に沿って摺動する。この点において、突起１２０の第２の端部１２６は、高温ガス通路構成要素１０４と接触すると、軸方向上向きおよび半径方向内向きに撓む。突起１２０の上向きの角度および固有の可撓性が、突起１２０のこの弾性変形を容易にする。
【００３６】
図８および図９に示す別の実施形態では、高温ガス通路構成要素１０４は、インピンジメントインサート１００を高温ガス通路構成要素空洞１０２に挿入する間に突起１２０を受け入れる１つまたは複数の軸方向に延伸するスロット１３０を画定する。一般に、スロット１３０の数は、インピンジメントインサート１００上の突起１２０の直線状の列１２２の数に対応することができる。突起１２０の直線状の列１２２がグループ化されている場合、スロット１３０の数は、直線状の列１２２のグループの数に対応することができる。図８および図９に示す実施形態では、インピンジメントインサート１００は、７つのグループに構成された３つの直線状の列１２２の突起１２０を含む。そのため、高温ガス通路構成要素１０４は、７つのグループの突起１２０を受け入れるための７つのスロット１３０を画定する。
【００３７】
図８および図９に示すように、スロット１３０は、高温ガス通路構成要素１３０の内面１１４から半径方向外向きに延伸する。スロット１３０は、好ましくは、内面１１４の実質的に軸方向長さ全体に沿って延伸する。代替の実施形態では、スロット１３０は、内面１１４の軸方向長さの一部だけに延伸してもよい。スロット１３０は、一般に、突起１２０の対応する直線状の列１２２または直線状の列１２２のグループよりも円周方向に広い。図示のように、スロット１３０は、半円形の断面を有する。しかしながら、スロット１３０は、他の実施形態では任意の適切な断面（例えば、長方形）を有してもよい。スロット１３０は、円周方向に等間隔または不均等に離間していてもよい。
【００３８】
図８および図９は、インピンジメントインサート１００を高温ガス通路構成要素１０４内に設置する複数の異なる段階の間の、突起１２０とスロット１３０との相対的な位置決めを示す。特に図８を参照すると、突起１２０の各グループは、インピンジメントインサート１００を高温ガス通路構成要素空洞１０２内に挿入する間に、スロット１３０の１つと円周方向に整列される。この点において、突起１２０は、挿入中に高温ガス通路構成要素１０４から半径方向に離間され、高温ガス通路構成要素１０４と接触しない。高温ガス通路構成要素空洞１０２に完全に挿入されると、インピンジメントインサート１００は円周方向Ｃに回転されて、突起１２０が高温ガス通路構成要素１０４の内面１１４に接触することを可能にする。このように、インピンジメントインサート１００が図９に示すように高温ガス通路構成要素１０４内に設置された後に、突起１２０およびスロット１３０は円周方向に離間される。
【００３９】
図１０および図１１に示すさらなる実施形態では、インピンジメントインサート１００は、インピンジメントインサート１００を高温ガス通路構成要素空洞１０２内に設置することを可能にする複数のインピンジメントインサート部分を含むことができる。各インピンジメントインサート部分は、一般に、インピンジメントインサート１００上の突起１２０の一部を含む。示されているように、インピンジメントインサート１００は、第１のインピンジメントインサート部分１３４と第２のインピンジメントインサート部分１３６とを含むことができる。代替の実施形態では、インピンジメントインサート１００は、３つ以上のインピンジメントインサート部分を含んでもよい。
【００４０】
図１０および図１１は、インピンジメントインサート１００を高温ガス通路構成要素１０４内に設置する複数の異なる段階の間の、第１のインピンジメントインサート部分１３４と第２のインピンジメントインサート部分１３６との相対的な位置決めを示す。特に図１０を参照すると、第１のインピンジメントインサート部分１３４および第２のインピンジメントインサート部分１３６が、高温ガス通路構成要素空洞１０２に挿入される。特に、第１のインピンジメントインサート部分１３４および第２のインピンジメントインサート部分１３６は、挿入中に突起１２０が高温ガス通路構成要素１０４の内面１１４に接触しないように構成される。高温ガス通路構成要素空洞１０２内に完全に挿入されると、第１のインピンジメントインサート部分１３４および第２のインピンジメントインサート部分１３６は、インピンジメントインサート１００の全体構成を形成するように配向される。第１のインピンジメントインサート部分１３４および第２のインピンジメントインサート部分１３６は、次に、図１１に示すように、インピンジメントインサート１１０を形成するように半径方向外向きに押し出され、結合される。第１のインピンジメントインサート部分１３４および第２のインピンジメントインサート１３６は、加圧流体（例えば、ポンプからの圧縮空気）、機械的アクチュエータ（例えば、カム）、または任意の他の適切な装置もしくは方法を介して外向きに押し出されてもよい。
【００４１】
動作中、インピンジメントインサート１００は、対流および伝導冷却に対する高温ガス通路構成要素１０４を可能にする。より具体的には、冷却空気（例えば、圧縮空気３８の一部）が、インピンジメントインサート空洞１０８を通って軸方向に流れる。インピンジメント開口１１６は、インピンジメントインサート１００を通って流れる冷却空気の一部を、高温ガス通路構成要素１０４の内面１１４上に導く。すなわち、冷却空気は、高温ガス通路構成要素１０４の内面１１４に衝突するまで、インピンジメント開口１１６および高温ガス通路構成要素内部空洞１０２を通って流れる。このように、インピンジメント開口１１６は、高温ガス通路構成要素１０４に対する対流冷却（すなわち、インピンジメント冷却）を可能にする。上述のように、突起１２０は、インピンジメントインサート１００の外面１１２から高温ガス通路構成要素１０４の内面１１４まで延伸する。この点において、高温ガス通路構成要素１０４から突起１２０を通じてインピンジメントインサート１００へと熱を伝導することができる。インピンジメントインサート空洞１０８を通って流れる冷却空気は、インピンジメントインサート１００に突起１２０によって伝導的に伝達された熱を吸収することができる。
【００４２】
より詳細に上述したように、インピンジメント開口１１６は、高温ガス通路構成要素１０４を対流的に冷却し、突起１２０は、高温ガス通路構成要素１０４を伝導的に冷却する。インピンジメントインサート１００は、対流および伝導の両方の冷却を高温ガス通路構成要素１００に対して可能にするため、インピンジメントインサート１００は、高温ガス通路構成要素１０４に対して従来のインピンジメントインサートよりもより大きな冷却を可能にする。そのため、インピンジメントインサート１００は、従来のインサートよりも小さいインピンジメント開口１１６を画定することができる。したがって、インピンジメントインサート１００では、圧縮機部１２（図１）から逸れる圧縮空気３８が従来のインピンジメントインサートよりも少なく、それによってガスタービンエンジン１０の効率を高める。
【００４３】
図１２〜図１５は、高温ガス通路構成要素１０４の高温ガス通路構成要素空洞１０２に位置決めされ得るインピンジメントインサート２００の実施形態を示す。図示のように、インピンジメントインサート２００は、軸方向Ａ、半径方向Ｒ、および円周方向Ｃを画定する。概して半径方向Ｒは、軸方向Ａから外向きに直交して延伸し、円周方向Ｃは、軸方向Ａの周りに同心状に延伸する。
【００４４】
特に図１２を参照すると、インピンジメントインサート２００は、その中にインピンジメントインサート空洞２０４を画定するほぼ管状のインサート壁２０２を含む。この点において、インサート壁２０２は、内部空洞２０４の外側境界を形成する内面２０６と、内面２０６から離間した外面２０８とを含む。図１２に示す実施形態では、インサート壁２０２は、概して環状の断面を有する。しかし、インサート壁２０２は、他の実施形態においてはまた、任意の適切な形状を有してもよい。
【００４５】
上述のように、インピンジメントインサート２００は、高温ガス通路構成要素１０４の高温ガス通路構成要素空洞１０２内に位置決めされる。より具体的には、インピンジメントインサート２００は、インサート壁２０６の外面２０８が半径方向において高温ガス通路構成要素１０４の内面１１４から離間されるように、高温ガス通路構成要素空洞１０２内に位置決めされる。インサート壁１０６の外面１０８と高温ガス通路構成要素１０４の内面１１４との間の間隔は、以下でより詳細に説明するように、内面１１４の内側のインピンジメント冷却を容易にするような大きさでなければならない。
【００４６】
インピンジメントインサート２００は、複数のインピンジメント開口２１０を画定する。特に、インピンジメント開口２１０は、インサート壁２０２を通じてインサート壁２０２の内面２０６からその外面２０８を通って延伸する。インピンジメント開口２０８は、インピンジメントインサート空洞２０４と高温ガス通路構成要素空洞１０２との間の流体連通を可能にする。インピンジメント開口２１０は、好ましくは、円形の断面を有する。しかしながら、インピンジメント開口２１０は、任意の適切な断面（例えば、長方形）を有してもよい。さらに、インピンジメント開口２１０は、高温ガス通路構成要素１０４の内面１１４に対するインピンジメント冷却を可能にするような大きさである。
【００４７】
図１２に示す実施形態では、インピンジメント開口２１０は直線状の列２１２に配列されている。インピンジメント開口２１０の直線状の列２１２は、インサート壁２０２の軸方向のほぼ全長に沿って、またはその一部のみに沿って延伸していてもよい。インピンジメント開口２１０は、任意の適切な数の直線状の列２１２に配列されてもよい。代替の実施形態において、複数のインピンジメント開口２１０は、インピンジメントインサート２００上に、内面１１４のインピンジメント冷却を促進する任意の方法で配置することができる。
【００４８】
ここで図１３を参照すると、各インピンジメント開口２１０は、他のインピンジメント開口２１０のすべてから最小距離２１４だけ離間することができる。特定の実施形態では、最小距離２１４は、対応するインピンジメント開口２１０の直径２１６に基づくことができる。例えば、最小距離２１４は、対応するインピンジメント開口２１０の直径２１６の１５倍であってもよい。それにもかかわらず、代替の実施形態では、最小距離２１４は、より大きく（例えば、直径２１６の２０倍）てもよく、またはより小さく（直径２１６の１０倍）てもよい。インピンジメント開口２１０が異なるサイズである実施形態では、最小距離２１４は、大きい方のインピンジメント開口２１０の直径２１６に基づくことができる。
【００４９】
ここで図１２〜図１５を参照すると、インピンジメントインサート２００は、インサート壁１０６の外面２０８から外側に延伸する複数の突起２１８を含む。特に、突起２１８は、インピンジメントインサート２００の外面２０８の表面積を増加させる。突起１２０とは異なり、突起２１８は、高温ガス通路構成要素１０４の内面１１４に接触しない。突起２１８は、図１２〜図１５に示すようなピンまたはフィンであってもよい。突起２１８は、円形の断面、矩形の断面、または任意の他の適切な断面を有することができる。特定の実施形態では、突起２１８は先細になっていてもよい。例えば、突起２１８は、図１２および図１３に示すように、円錐台形状であってもよい。他の実施形態では、突起２１８は、一定の断面サイズを有してもよい。
【００５０】
図１３に示すように、すべての突起２１８は、インピンジメント開口２１０の各々から最小距離２２０だけ離間していてもよい。すなわち、各突起２１８は、すべてのインピンジメント開口２１０からの最小距離２２０にある。特に、最小距離２２０は、対応するインピンジメント開口２１０の直径２１６の２倍であってもよい。インピンジメント開口２１０が異なるサイズである実施形態では、最小距離２２０は、大きい方のインピンジメント開口２１０の直径２１６に基づくことができる。図１４および図１５に示すように、インピンジメント開口２１０と突起２１８との間の最小距離２２０は、各インピンジメント開口２１０を取り囲む平滑な領域２３６を形成する。具体的には、平滑な領域２３６には、突起２１８、バンプ、窪み、および他の表面粗さがない。以下により詳細に説明するように、平滑な領域２３６は、インピンジメント冷却を改善することを可能にする。
【００５１】
突起２１８は、各突起２１８がインピンジメント開口部２１０のすべてから少なくとも最小距離２２０にある限り、インサート壁２０２の外面２０８上に任意の適切な方法で配列されてもよい。図１２に示す実施形態では、例えば、突起２１８は直線状の列２２２に配列されている。突起２１８の直線状の列２２２は、インサート壁１０６の軸方向のほぼ全長に沿って、またはその一部のみに沿って延伸していてもよい。図１２に示す実施形態では、突起２１８の１つの直線状の列２２２が、インピンジメント開口２１０の直線状の列２１２の各隣接する対の間に円周方向に位置決めされている。それにもかかわらず、インピンジメント開口２１０は、任意の適切な数の直線状の列２２２に配列されてもよい。
【００５２】
突起２１８は、各インピンジメント開口２１０を囲む１つまたは複数のリング内に配置することができる。図１４に示す実施形態では、突起２１８の第１のリング２２４は、インピンジメント開口２１０のうちの１つを囲んでいる。突起２１８の第２のリング２２６は、突起２１８の第１のリング２２４を包囲し、同心である。突起２１８の第１のリング２２４は、最小距離２２０だけインピンジメント開口２１０から離間している。突起２１８の第２のリング２２６は、最小距離２２０よりも大きい距離だけインピンジメント開口２１０から離間している。代替の実施形態では、突起２１８の１つのリング（図１５に示すように）、突起２１８の３つのリング、または突起２１８のより多くのリングが、各インピンジメント開口２１０を囲んでもよい。
【００５３】
ここで図１５を参照すると、インピンジメントインサート２００のいくつかの実施形態は、複数の異なるインピンジメント開口２１０を囲む突起２１８のリング間の空間２２８を含むことができる。図示されているように、４つのインピンジメント開口２１０は各々、突起２１８のリング２３０によって囲まれている。インピンジメント開口２１０と突起２１８の間隔は、空間２２８が複数の異なるリング２３０の間に存在するようなものである。この点で、空間２２８は、粗面化された部分２３２を含むことができる。特に、粗面化された部分２３２は、図１５に示されるような窪み２３４、バンプ、または任意の他の適切な表面粗さを含むことができる。別の実施形態では、空間２２８は滑らかであってもよい。
【００５４】
インピンジメントインサート１００と同様に、インピンジメントインサート２００は、積層造形方法によって形成することができる。
【００５５】
動作中、インピンジメントインサート２００は、対流冷却に対する高温ガス通路構成要素１０４を可能にする。より具体的には、冷却空気（例えば、圧縮空気３８の一部）が、インピンジメントインサート空洞２０４を通って軸方向に流れる。インピンジメント開口２１０は、インピンジメントインサート２００を通って流れる冷却空気の一部を、高温ガス通路構成要素１０４の内面１１４上に導く。すなわち、冷却空気は、高温ガス通路構成要素１０４の内面１１４に衝突するまで、インピンジメント開口２１０および高温ガス通路構成要素空洞１０２を通って流れる。このように、インピンジメント開口２１０は、高温ガス通路構成要素１０４に対するインピンジメント冷却を可能にする。上述したように、突起２１８は、インサート壁２０２の外面２０８の表面積を増加させる。この点で、突起２１８は、高温ガス通路構成要素空洞１０２内に存在する冷却空気とインピンジメントインサート２００との間の対流熱伝達の増加を促進する。
【００５６】
最小距離２２０によって形成される平滑な領域２３６は、インピンジメント開口２１０によるインピンジメント冷却を向上させることができる。より具体的には、インピンジメント開口２１０の２つの直径内に突起、バンプ、窪みまたは他の表面粗さを配置することによって、インピンジメント開口２１０の効率が低下する。すなわち、突起、バンプ、窪み、または他の表面粗さは、インピンジメント開口２１０を出るインピンジメントジェットと干渉し得る。しかしながら、平滑な領域２３６は、インピンジメント開口２１０を出るインピンジメントジェットと干渉し得る表面粗さを含まない。
【００５７】
上記でより詳細に説明したように、最小距離２２０によって形成される平滑な領域２３６は、インピンジメント開口２１０によるインピンジメント冷却を向上させることができる。さらに、平滑な領域２３６の外側で突起２１８を使用することによって、高温ガス通路構成要素空洞１０２内の冷却空気とインピンジメントインサート２００との間の熱伝達が増加する。この点で、インピンジメントインサート２００は、従来のインピンジメントインサートよりも高温ガス通路構成要素１０４に対してより大きな冷却を可能にする。そのため、インピンジメントインサート２００は、従来のインサートよりも小さいインピンジメント開口２１０を画定することができる。したがって、インピンジメントインサート２００では、圧縮機部１２（図１）から逸れる圧縮空気３８が従来のインピンジメントインサートよりも少なく、それによってガスタービンエンジン１０の効率を高める。
【００５８】
上述し、図１２〜図１５に示したように、インピンジメント開口２１０および突起２１８はインピンジメントインサート１００に一体化されている。代替の実施形態では、インピンジメント開口２１０および突起２１８は、上述のようにインピンジメントプレートに一体化されてもよい。さらに、インピンジメント開口２１０および突起２１８は、端壁またはシュラウド４４Ａ〜Ｃのうちの１つに一体化することができる。
【００５９】
この明細書は、本技術を開示するために実施例を用いており、最良の形態を含んでいる。また、いかなる当業者も本技術を実施することができるように実施例を用いており、任意のデバイスまたはシステムを製作し使用し、任意の組み込まれた方法を実行することを含んでいる。本技術の特許され得る範囲は、特許請求の範囲によって定められ、当業者であれば想到するであろう他の実施例を含むことができる。そのような他の実施例は、特許請求の範囲の文言と異ならない構造要素を含む場合、あるいは特許請求の範囲の文言との実質的な相違がない同等の構造要素を含む場合、特許請求の範囲内にあるものとする。
【符号の説明】
【００６０】
１０  ガスタービンエンジン
１２  圧縮機セクション、圧縮機部
１４  入口
１６  軸流圧縮機
１８  燃焼部
２０  燃焼器
２２  タービン部
２４  タービン
２６  ロータシャフト
２８  軸方向中心線
３０Ａ  第１のタービン段
３０Ｂ  第２のタービン段
３０Ｃ  第３のタービン段
３２Ａ  タービンノズル、ロータブレード
３２Ｂ  タービンノズル
３２Ｃ  タービンノズル
３４Ａ  タービンロータブレード
３４Ｂ  タービンロータブレード
３４Ｃ  タービンロータブレード
３６  シェル／ケーシング
３８  圧縮空気
４０  燃焼ガス
４２Ｂ  ダイアフラム
４２Ｃ  ダイアフラム
４４Ａ  タービンシュラウド
４４Ｂ  タービンシュラウド
４４Ｃ  タービンシュラウド
４６  内側側壁
４８  外側側壁
５０  翼形部
５２  内側側壁の半径方向外面
５４  内側側壁の半径方向内面
５６  外側側壁の半径方向内面
５８  外側側壁の半径方向外面
６０  内側側壁の前方表面
６２  内側側壁の後方表面
６４  内側側壁の第１の円周面
６６  内側側壁の第２の円周面
６８  外側側壁の前方表面
７０  外側側壁の後方表面
７２  外側側壁の第１の円周面
７４  外側側壁の第２の円周面
７６  前縁
７８  後縁
８０  正圧側壁
８２  負圧側壁
８４  前方内部空洞
８６  後方内部空洞、前方内部空洞
８８  前方インサート
９０  後方インサート、前方インサート
９２  リブ
９４  前方内部空洞の内面
９５−９９  未使用
１００  インピンジメントインサート、プレード、高温ガス通路構成要素
１０２  高温ガス通路構成要素内部空洞
１０４  高温ガス通路構成要素
１０６  インサート壁、ピン
１０８  インピンジメントインサート空洞、外面
１１０  インサート壁の内面、インピンジメントインサート
１１２  インサート壁の外面
１１４  高温ガス通路構成要素の内面
１１６  インピンジメント開口
１１８  インピンジメント開口の直線状の列
１２０  ピン、突起
１２２  ピンの直線状の列
１２４  ピンの第１の端部
１２６  ピンの第２の端部
１２８  ピン角
１３０  スロット、高温ガス通路構成要素
１３４  第１のインピンジメントインサート部分
１３６  第２のインピンジメントインサート部分
２００  インピンジメントインサート
２０２  インサート壁
２０４  インピンジメントインサート空洞、内部空洞
２０６  内面
２０８  外面、インピンジメント開口
２１０  インピンジメント開口部
２１２  直線状の列
２１４  最小距離
２１６  直径
２１８  突起
２２０  最小距離
２２２  突起の直線状の列
２２４  第１のリング
２２６  第２のリング
２２８  空間
２３０  突起のリング
２３２  粗面化された部分
２３４  窪み
２３６  平滑な領域
【図１】
2018119540.tif 000003
【図２】
2018119540.tif 000004
【図３】
2018119540.tif 000005
【図４】
2018119540.tif 000006
【図５】
2018119540.tif 000007
【図６】
2018119540.tif 000008
【図７】
2018119540.tif 000009
【図８】
2018119540.tif 000010
【図９】
2018119540.tif 000011
【図１０】
2018119540.tif 000012
【図１１】
2018119540.tif 000013
【図１２】
2018119540.tif 000014
【図１３】
2018119540.tif 000015
【図１４】
2018119540.tif 000016
【図１５】
2018119540.tif 000017
【外国語明細書】
2018119540000001.pdf